(57)【要約】【課題】ユーザが動画ファイルに対して適切なタグを認識することができる動画分類システムを提供する。【解決手段】動画分類システムＳは、表示部１１と、入力部１２と、各々にタグが付与されている複数の参照動画ファイルを格納する記憶部２１と、表示処理部２２とを備える。表示部１１は、対象動画ファイルに基づく第１アニメーションを表示する第１領域と、第１領域に第１アニメーションを表示した状態で、参照動画ファイルに基づく第２アニメーションを表示する第２領域とを有する。表示処理部２２は、認識したタグが付与されている参照動画ファイルに基づく第２アニメーションを表示させる。【選択図】図１
2019036109.tif 000002
【特許請求の範囲】
【請求項１】
対象動画ファイルに分類用のタグを付与するための動画分類システムであって、
複数の領域を有する表示部と、ユーザからの入力を受け付ける入力部と、各々に少なくとも１つの前記タグが付与されている複数の参照動画ファイルを格納している記憶部と、前記表示部に表示する内容を決定する表示処理部とを備え、
前記表示部は、前記入力部を介して入力された前記対象動画ファイルに基づく第１アニメーションを表示する第１領域と、前記第１領域に前記第１アニメーションを表示した状態で、前記参照動画ファイルに基づく第２アニメーションを表示する第２領域とを有し、
前記表示処理部は、前記入力部を介して入力された前記タグを認識した際に、認識した該タグが付与されている前記参照動画ファイルを前記記憶部から取得し、取得した該参照動画ファイルに基づく前記第２アニメーションを、前記第２領域に表示させることを特徴とする動画分類システム。
【請求項２】
請求項１に記載の動画分類システムにおいて、
前記表示部は、前記タグを表示する第３領域を有し、
前記表示処理部は、前記第３領域に表示された前記タグから前記入力部を介して選択された１つのタグを認識した際に、認識した該タグが付与されている前記参照動画ファイルを前記記憶部から取得し、取得した該参照動画ファイルに基づく前記第２アニメーションを、前記第２領域に表示させることを特徴とする動画分類システム。
【請求項３】
請求項２に記載の動画分類システムにおいて、
前記記憶部は、前記対象動画ファイルに付与された前記タグを記憶し、
前記表示処理部は、前記入力部を介して入力された新たな前記対象動画ファイルに前記タグを付与する際に、前記記憶部に記憶されている前記タグを取得し、取得した該タグを、前記第３領域に表示させることを特徴とする動画分類システム。
【請求項４】
請求項２又は請求項３に記載の動画分類システムにおいて、
前記入力部を介して入力された前記対象動画ファイルと、前記記憶部に格納されている複数の前記参照動画ファイルの各々とを比較して一致度を算出し、該一致度が所定の閾値以上となる類似動画ファイルを認識する比較部を備え、
前記表示処理部は、前記第３領域に、前記類似動画ファイルに付与されている前記タグを表示させることを特徴とする動画分類システム。
【請求項５】
請求項４に記載の動画分類システムにおいて、
前記一致度は、前記対象動画ファイルに基づく前記第１アニメーション又は前記参照動画ファイルに基づく前記第２アニメーションの色調、又は、該第１アニメーション又は該第２アニメーションに含まれる動作パターンに基づいて、算出されることを特徴とする動画分類システム。
【請求項６】
請求項２〜請求項５のいずれか１項に記載の動画分類システムにおいて、
前記参照動画ファイルには、複数の前記タグが付与され、
前記表示処理部は、前記第２領域に表示された前記第２アニメーションが選択された際に、該第２アニメーションに対応する前記参照動画ファイルに付与されている複数の前記タグのうちの少なくとも１つを、前記第３領域に表示させることを特徴とする動画分類システム。
【請求項７】
対象動画ファイルに分類用のタグを付与するための動画分類方法であって、
入力部を介して入力された前記対象動画ファイルに基づく第１アニメーションを、表示部の第１領域に表示する第１表示工程と、
各々に少なくとも１つの前記タグが付与されている複数の参照動画ファイルのうちから、前記入力部を介して入力された前記タグを認識した際に、認識した該タグが付与されている前記参照動画ファイルを取得する参照動画ファイル取得工程と、
前記第１領域に前記第１アニメーションが表示されている状態で、取得した前記参照動画ファイルに基づく第２アニメーションを、前記表示部の第２領域に表示させる第２表示工程とを備えていることを特徴とする動画分類方法。
【発明の詳細な説明】
【技術分野】
【０００１】
動画ファイルに分類用のタグを付与するための動画分類システム及び動画分類方法に関する。
【背景技術】
【０００２】
近年、情報処理端末及びそれにより実行されるプログラムの進歩に伴い、専門的な知識を有していない個人であっても、アニメーションを作製することが容易になりつつある。しかし、的確に所望のアニメーションを作製するためには、未だにある程度の専門的な知識が要求される。
【０００３】
本件出願人は、その状況に鑑み、サンプルとして予め用意されている複数のアニメーションのうちの１つを選択するだけで、その選択したアニメーションに含まれる動作パターンを対象となる画像に適用して、容易に所望のアニメーションを作製することができる動画作製システムを提案している（特願２０１７−０９０３８１号明細書参照）。
【０００４】
そのようなアニメーションに関するプログラムファイル（以下、「動画ファイル」という。）の分類の方法としては、各々のファイルに対して、そのファイルの内容に関連するキーワード等のタグを付与し、そのタグに基づいてファイルの分類を行う方法がある。
【０００５】
タグの付与を補助するためのシステムとしては、タグの付与対象となるファイルに関する画像（例えば、そのファイルが画像ファイルであればその画像そのもの）を参照しつつ、付与するタグを検討することができるシステムが知られている（例えば、特許文献１参照）。
【先行技術文献】
【特許文献】
【０００６】
【特許文献１】特開２０１３−１３７８２９号公報
【発明の概要】
【発明が解決しようとする課題】
【０００７】
ところで、アニメーションは、所定の時点における静止画像が同じであっても、アニメーションとしては全く別の内容を表している場合がある。例えば、ある一点から模様が広がっていくアニメーションの場合、全く同じように模様が変化するものであっても、その変化の速度の違い等によって、爆発、膨張、破裂、開花等の種々様々な表現がなされることがある。
【０００８】
ここで、特許文献１に記載のシステムは、ファイルにタグを付与する際に、ユーザが参照するものとして、そのファイルに関連するサムネイル、アイコン等（すなわち、静止画像）を表示するように構成されている。
【０００９】
しかし、所定の時点における静止画像だけではアニメーションの特徴を十分に把握することが難しいので、そのシステムを用いてアニメーション（ひいては、そのアニメーションに対応する動画ファイル）にタグを付与する場合には、ユーザが適切なタグを認識しにくいという問題があった。
【００１０】
本発明は以上の点に鑑みてなされたものであり、ユーザが動画ファイルに対して適切なタグを認識することができる動画分類システム及び動画分類方法を提供することを目的とする。
【課題を解決するための手段】
【００１１】
上記目的を達成するために、本発明の動画分類システムは、
対象動画ファイルに分類用のタグを付与するための動画分類システムであって、
複数の領域を有する表示部と、ユーザからの入力を受け付ける入力部と、各々に少なくとも１つの前記タグが付与されている複数の参照動画ファイルを格納している記憶部と、前記表示部に表示する内容を決定する表示処理部とを備え、
前記表示部は、前記入力部を介して入力された前記対象動画ファイルに基づく第１アニメーションを表示する第１領域と、前記第１領域に前記第１アニメーションを表示した状態で、前記参照動画ファイルに基づく第２アニメーションを表示する第２領域とを有し、
前記表示処理部は、前記入力部を介して入力された前記タグを認識した際に、認識した該タグが付与されている前記参照動画ファイルを前記記憶部から取得し、取得した該参照動画ファイルに基づく前記第２アニメーションを、前記第２領域に表示させることを特徴とする。
【００１２】
また、上記目的を達成するために、本発明の動画分類方法は、
対象動画ファイルに分類用のタグを付与するための動画分類方法であって、
入力部を介して入力された前記対象動画ファイルに基づく第１アニメーションを、表示部の第１領域に表示する第１表示工程と、
各々に少なくとも１つの前記タグが付与されている複数の参照動画ファイルのうちから、前記入力部を介して入力された前記タグを認識した際に、認識した該タグが付与されている前記参照動画ファイルを取得する参照動画ファイル取得工程と、
前記第１領域に前記第１アニメーションが表示されている状態で、取得した前記参照動画ファイルに基づく第２アニメーションを、前記表示部の第２領域に表示させる第２表示工程とを備えていることを特徴とする。
【００１３】
このように、本発明の動画分類システム及び動画分類方法では、表示部の第１領域に、タグの付与対象である対象動画ファイルに基づく（すなわち、対象動画ファイルを実行することによって生成される）第１アニメーションを表示した状態で、第２領域に、予め記憶部に格納されている参照動画ファイルに基づく第２アニメーションを表示している。これにより、ユーザは、２つのアニメーションを直接対比して、それらが似ているか否か等を検討することができる。
【００１４】
また、第２領域に表示される第２アニメーションは、入力されたタグに基づいて決定されている。これにより、ユーザは、第１アニメーションに付与するタグを、付与されているタグの明らかな第２アニメーションを参照しながら検討することができる。具体的には、例えば、第２アニメーションに付与されたタグを、第１アニメーションに適用しても良いか否かを検討することができる。
【００１５】
したがって、本発明の動画分類システム及び動画分類方法によれば、タグを付与する第１アニメーションを確認しながら、付与されているタグの明らかな第２アニメーションを参照することができるので、容易に、第１アニメーション（ひいては、その第１アニメーションに対応する対象動画ファイル）に対して適切なタグを認識することができる。
【００１６】
また、本発明の動画分類システムにおいては、
前記表示部は、前記タグを表示する第３領域を有し、
前記表示処理部は、前記第３領域に表示された前記タグから前記入力部を介して選択された１つのタグを認識した際に、認識した該タグが付与されている前記参照動画ファイルを前記記憶部から取得し、取得した該参照動画ファイルに基づく前記第２アニメーションを、前記第２領域に表示させることが好ましい。
【００１７】
このように、第３領域を設けてタグの候補を提示するように構成すると、付与されるタグのばらつきが抑制されるので、使用されるタグの種類が収束しやすくなる。これにより、タグの付与された動画ファイルの分類が明確なものになる。
【００１８】
また、本発明の動画分類システムにおいては、表示部が第３領域を有する構成の場合、
前記記憶部は、前記対象動画ファイルに付与された前記タグを記憶し、
前記表示処理部は、前記入力部を介して入力された新たな前記対象動画ファイルに前記タグを付与する際に、前記記憶部に記憶されている前記タグを取得し、取得した該タグを、前記第３領域に表示させることが好ましい。
【００１９】
このように、第３領域に表示するタグをユーザの使用履歴に基づくものにすると、付与されるタグのばらつきが抑制されるので、使用されるタグの種類が収束しやすくなる。これにより、タグの付与された動画ファイルの分類がさらに明確なものになる。
【００２０】
また、本発明の動画分類システムにおいては、表示部が第３領域を有する構成の場合、
前記入力部を介して入力された前記対象動画ファイルと、前記記憶部に格納されている複数の前記参照動画ファイルの各々とを比較して一致度を算出し、該一致度が所定の閾値以上となる類似動画ファイルを認識する比較部を備え、
前記表示処理部は、前記第３領域に、前記類似動画ファイルに付与されている前記タグを表示させることが好ましい。
【００２１】
このように、第３領域に表示するタグを動画ファイルの比較に基づいて決定されたものにすると、表示されるタグが予め妥当性の高いものになる。これにより、ユーザが適切なタグを認識するまでのタグの入力の試行回数を抑えることができる。
【００２２】
また、本発明の動画分類システムにおいては、比較部を備え、表示部が第３領域を有する構成の場合、
前記一致度は、前記対象動画ファイルに基づく前記第１アニメーション又は前記参照動画ファイルに基づく前記第２アニメーションの色調、又は、該第１アニメーション又は該第２アニメーションに含まれる動作パターンに基づいて、算出されることが好ましい。
【００２３】
ここで、「動作パターン」とは、アニメーションによって変化する画像の各フレームにおける状態（位置、大きさ、形状、色等）を規定したものである。
【００２４】
アニメーションの要素としては、色調又は動作パターンが重要となる。そこでそれらを算出基準として一致度を算出するようにすると、さらに妥当性の高いタグが表示されやすくなる。
【００２５】
なお、一致度の算出基準としては、色調又は動作パターンの他、アニメーションの尺の長さそのもの、尺の長さに対するアニメーションの変化のタイミング等を用いてもよい。また、アニメーションに音声が付加されている場合には、音声を算出基準として用いてもよい。さらに、それらを組み合わせたものを算出基準として用いてもよい。
【００２６】
また、本発明の動画分類システムにおいては、表示部が第３領域を有する構成の場合、
前記参照動画ファイルには、複数の前記タグが付与され、
前記表示処理部は、前記第２領域に表示された前記第２アニメーションが選択された際に、該第２アニメーションに対応する前記参照動画ファイルに付与されている複数の前記タグのうちの少なくとも１つを、前記第３領域に表示させることが好ましい。
【００２７】
このように構成すると、ユーザは、第２アニメーションに対応する参照動画ファイルに付与された他のタグを容易に認識することができる。これにより、ユーザは、連想するようにしてタグを検討することができるようになるので、さらに容易に適切なタグを認識することができる。
【図面の簡単な説明】
【００２８】
【図１】実施形態に係る動画分類システムの構成を示すブロック図。
【図２】図１の動画分類システムの表示部に表示される第１段階の画面を示す模式図。
【図３】図１の動画分類システムが第１段階で実行する処理を示すフローチャート。
【図４】図１の動画分類システムの表示部に表示される第２段階の画面を示す模式図。
【図５】図１の動画分類システムが第２段階で実行する処理を示すフローチャート。
【図６】図１の動画分類システムの表示部に表示される第３段階の画面を示す模式図。
【図７】図１の動画分類システムが第３段階で実行する処理を示すフローチャート。
【発明を実施するための形態】
【００２９】
以下、図面を参照して、本実施形態に係る動画分類システムＳ、及び、その動画分類システムＳを用いて行われる動画分類方法について説明する。
【００３０】
まず、図１を参照して、動画分類システムＳの構成について説明する。
【００３１】
動画分類システムＳは、パソコン、タブレット等の独立した情報端末である。動画分類システムＳは、ユーザからの入力を受け付けるとともに、ユーザに各種情報を認識させる入出力部１と、入出力部１と情報の送受信が可能であり、その情報に関する各種処理を行う処理部２とで構成されている。
【００３２】
なお、本発明の動画分類システムは、本実施形態の動画分類システムＳのようにパソコン、タブレット等の独立した情報端末として構成されているものに限定されるものではない。例えば、入出力を行うユーザ側情報端末と各種処理を行うサーバ側情報端末とを、インターネット等を介して接続して構成されたものであってもよい。
【００３３】
入出力部１は、キーボード、マウス、タッチパネル、マイク等の入力機器によって構成された入力部１２と、ユーザに対して視覚を通じて情報を伝達する出力機器（例えば、液晶ディスプレイ等）によって構成された表示部１１とを備えている。ユーザが入力部１２を介して入力した情報は、処理部２に送信される。送信された情報に基づいて処理部２が行った処理の結果等は、表示部１１を介して、ユーザに対して提示される。
【００３４】
ユーザは、入力部１２を介して、タグの入力及び選択、並びに、タグ付けの対象となるアニメーションに関するプログラムファイル（以下、「対象動画ファイル」という。）の入力及び選択を行う。動画分類システムＳは、この対象動画ファイルに分類用のタグを付与する際に、ユーザが適切なタグを容易に認識することができるようにサポートを行うためのものである。
【００３５】
ここで、「動画ファイル」とは、アニメーションに関するプログラムファイルのことをいう。また、「タグ」とは、ユーザが動画ファイルを分類するに際し、その動画ファイルに付与するキーワードをいう。
【００３６】
処理部２は、ＣＰＵ、ＲＡＭ、ＲＯＭ、インターフェース回路等を含む１つ又は複数の電子回路ユニットにより構成されている。
【００３７】
処理部２は、実装されたハードウェア構成又はプログラムにより実現される機能として、複数種類のタグ及び複数の動画ファイルが格納されている記憶部２１と、表示部１１に表示する内容を決定する表示処理部２２と、動画ファイルを比較してそれらの一致度を算出する比較部２３とを備えている。
【００３８】
記憶部２１に格納されている動画ファイルは、後述する動画分類方法において、ユーザが参照するためのアニメーションに関するプログラムファイル（以下、「参照動画ファイル」という。）である。その参照動画ファイルの各々には、少なくとも１つのタグが付与されている。
【００３９】
記憶部２１に格納されている参照動画ファイル及びタグは、システムの提供者によって予め用意されたものの他、ユーザが作製し登録したものであってもよい。例えば、ユーザが作製した参照動画ファイルを、インターネット等を介して共有できるように構成されていてもよい。
【００４０】
表示処理部２２は、入力部１２を介して入力された対象動画ファイル及びタグ、又は、表示処理部２２自体が記憶部２１から取得した参照動画ファイル及びタグに基づいて、表示部１１に表示させるアニメーション及びタグを決定する。
【００４１】
比較部２３は、入力部１２を介して入力された対象動画ファイルと、記憶部２１に格納されている参照動画ファイルの各々とを比較して一致度を算出し、その一致度が所定の閾値以上となる参照動画ファイル（以下、「類似動画ファイル」という。）を認識する。一致度の算出基準としては、動画ファイルに基づくアニメーションの色調又は動作パターンを用いている。
【００４２】
ここで、「一致度」とは、対象動画ファイルと参照動画ファイルとの類似の度合いを示す値であり、この値が高いほど、比較された動画ファイル同士が似ていることになる。また、「動作パターン」とは、アニメーションによって変化する画像の各フレームにおける状態（位置、大きさ、形状、色等）を規定したものである。
【００４３】
一致度の算出基準として色調又は動作パターンを用いている理由は、それらがアニメーションの要素として重要な要素であるためである。
【００４４】
なお、一致度の算出基準としては、色調又は動作パターンの他、アニメーションの尺の長さそのもの、尺の長さに対するアニメーションの変化のタイミング等を用いてもよい。また、アニメーションに音声が付加されている場合には、音声を算出基準として用いてもよい。さらに、それらを組み合わせたものを算出基準として用いてもよい。
【００４５】
次に、図２を参照して、表示部１１を介してユーザに提示される表示画面３について説明する。
【００４６】
表示画面３は、アニメーションを表示する第１領域３１及び第２領域３２と、付与するタグの候補を表示する第３領域３３と、入力部１２を介して入力されたタグが表示される入力領域３４とを備えている。
【００４７】
第１領域３１は、ユーザによって入力された対象動画ファイルに基づく（すなわち、対象動画ファイルを実行することによって生成される）アニメーション（以下、「第１アニメーション」という。）を表示する領域である。
【００４８】
第２領域３２は、表示処理部２２が取得した参照動画ファイルに基づくアニメーション（以下、「第２アニメーション」という。）を表示する領域である。
【００４９】
第２領域３２は、第１領域３１に隣接して設けられている。第２領域３２には、第１領域３１に第１アニメーションが表示された状態で、第２アニメーションが表示可能となっている。これにより、ユーザは、第１領域３１に表示されている第１アニメーションと第２領域３２に表示されている第２アニメーションとを同時に認識できるように（すなわち、第１アニメーションと第２アニメーションとを直接対比可能に）なっている。
【００５０】
第２領域３２には、複数の第２アニメーションが表示可能となっている。これは、複数の第２アニメーションを同時に参照して、第１アニメーションと第２アニメーションとの対比を、効率良く行うことができるようにするためである。
【００５１】
ただし、本発明の第２領域は、表示した第２アニメーションを、第１領域に表示されている第１アニメーションと対比できるように表示できるものであればよい。そのため、第２領域に、第２アニメーションを１つのみ表示可能に構成してもよい。また、第１領域に第２領域を隣接して配置する他、それらを重畳して配置してもよい。
【００５２】
第３領域３３は、動画分類システムＳがユーザに対して提案するタグの候補を提示する領域である。第３領域３３に表示されたタグは、入力部１２を介して、ユーザが選択可能となっている（図４参照）。
【００５３】
入力領域３４は、ユーザが入力部１２を介して入力したタグを表示するタグ表示領域３４ａと、検索ボタン３４ｂと、決定ボタン３４ｃとを有している。タグ表示領域３４ａには、キーボード等で入力されたタグ、又は、第３領域３３で選択されたタグが表示される。
【００５４】
タグ表示領域３４ａにタグが表示された状態で検索ボタン３４ｂが選択されると、表示処理部２２が、記憶部２１からそのタグが付与されている参照動画ファイルを取得して、その参照動画ファイルに基づく第２アニメーションを第２領域３２に表示させる。
【００５５】
タグ表示領域３４ａにタグが表示され、且つ、第１領域に第１アニメーションが表示された状態で決定ボタン３４ｃが選択されると、記憶部２１が、その第１アニメーションに対応する対象動画ファイルをそのタグとともに（すなわち、対象動画ファイルにタグを付与して）、記憶する。
【００５６】
次に、図１〜図７を参照して、動画分類システムＳが行う処理（すなわち、動画分類方法）について説明する。図３、図５及び図７は、動画分類システムＳが行う処理を示すフローチャートである。
【００５７】
まず、図１〜図３を参照しつつ、ユーザが対象動画ファイルに付与するタグの検討を開始する段階（第１段階）における処理を説明する。
【００５８】
第１段階における処理としては、まず、処理部２の表示処理部２２は、入出力部１の入力部１２を介してユーザが入力した対象動画ファイルを認識し、その対象動画ファイルに基づく第１アニメーションを、入出力部１の表示部１１の第１領域３１に表示させる（図３／ＳＴＥＰ１１）。
【００５９】
このＳＴＥＰ１１における処理が、第１表示工程である。なお、ユーザによる対象動画ファイルの入力方法としては、対象動画ファイルの格納場所を直接指定する方法の他、第１領域３１に、対象動画ファイルをドラッグ及びドロップする方法等であってもよい。
【００６０】
次に、処理部２の比較部２３は、対象動画ファイルと処理部２の記憶部２１に格納されている複数の参照動画ファイルの各々とを比較して、それらの一致度を算出し、所定の閾値以上の一致度を有する参照動画ファイル（すなわち、類似動画ファイル）を認識する（図３／ＳＴＥＰ１２）。
【００６１】
具体的には、例えば、対象動画ファイルに基づくアニメーションが、一点から模様が広がっていくという動作パターンを含む花の開花のようなものであった場合には、その動作パターンを基準として、比較部２３が比較を行い、花火、爆発、膨張、破裂といった同様の動作パターンを含むアニメーションに対応する参照動画ファイルを検索する。
【００６２】
次に、表示処理部２２は、比較部２３が認識した類似動画ファイルを記憶部２１から取得し、取得した類似動画ファイルに基づく第２アニメーションを、表示部１１の第２領域３２に表示する（図３／ＳＴＥＰ１３）。
【００６３】
次に、表示処理部２２は、類似動画ファイルに付与されているタグを認識し、そのタグを表示部１１の第３領域３３に表示して、第１段階における処理を終了する（図３／ＳＴＥＰ１４）。
【００６４】
上記のＳＴＥＰ１２〜ＳＴＥＰ１４における処理は、予め妥当性の高いタグを第３領域３３に表示することによって、ユーザが適切なタグを認識するまでのタグの入力の試行回数を抑えることができるようにするための処理である。そのため、タグを付与する動画ファイルの内容がある程度限定されている場合等には、この処理は省略してもよい。
【００６５】
なお、このＳＴＥＰ１２〜ＳＴＥＰ１４における処理に代わり、記憶部２１に格納されている参照用動画ファイルを、ランダムで選択し又は格納順序に応じて選択し、その参照用動画ファイルに基づく第２アニメーション及びタグを表示するようにしてもよい。また、類似動画ファイルに基づくアニメーションのみ又は類似動画ファイルに付与されているタグのみを表示してもよい。
【００６６】
ところで、動画分類システムＳを用いて対象動画ファイルに対するタグの付与を複数回行っている場合、記憶部２１には、前回以前に用いられた対象動画ファイル及びそれに付与されたタグが格納されている。そこで、ＳＴＥＰ１２〜ＳＴＥＰ１４における処理に代わり、前回以前に用いられた対象動画ファイルに付与されたタグ（すなわち、ユーザの使用履歴に基づくタグ）を第３領域３３に表示するようにしてもよい。
【００６７】
次に、図１、図４及び図５を参照しつつ、ユーザが対象動画ファイルに付与するタグを検討する段階（第２段階）における処理を説明する。
【００６８】
第２段階における処理としては、まず、表示処理部２２は、ユーザが入力部１２を介して入力したタグを認識する（図５／ＳＴＥＰ２１）。
【００６９】
具体的には、例えば、表示処理部２２は、第３領域３３に列挙されたタグの候補からユーザが選択したタグ、又は、入力部１２を介して入力領域３４のタグ表示領域３４ａにユーザが直接入力したタグを、認識する。
【００７０】
次に、表示処理部２２は、認識したタグと同一のタグが付与されている参照動画ファイルを記憶部２１から取得する（図５／ＳＴＥＰ２２）。
【００７１】
このＳＴＥＰ２２における処理が、参照動画ファイル取得工程である。なお、動画分類システムＳでは、参照動画ファイルに複数のタグが付与されており、そのうちの１つと認識したタグが一致している場合には、その参照動画ファイルも取得するように構成されている。
【００７２】
しかし、取得する参照動画ファイルの選択はこのような方法に限定されるものではない。例えば、タグを複数入力可能に構成した場合には、そのタグの全てが付与されている参照動画ファイルのみを取得するようにしてもよい。また、類似するタグ（例えば、同じ意味を有するカタカナ表記のタグとアルファベット表記のタグ）を、同一のタグとみなして、参照動画ファイルを取得してもよい。
【００７３】
次に、表示処理部２２は、取得した参照動画ファイルに基づく第２アニメーションを、類似動画ファイルに基づく第２アニメーションに代わり、第２領域３２に表示して、第２段階における処理を終了する（図５／ＳＴＥＰ２３）。
【００７４】
このＳＴＥＰ２３における処理が、第２表示工程である。なお、新たな第２アニメーションを表示するに際し、既に表示されている第２アニメーションの表示を停止しなくてもよい。
【００７５】
ただし、そのように構成する場合には、新たに表示された第２アニメーションの表示位置を、既に表示されている第２アニメーションの表示位置よりも、第１アニメーションと対比しやすい表示位置に調整することが好ましい。例えば、第２領域内の第１領域に隣接する部分（例えば、左列の１段目及び２段目等）に表示することが好ましい。
【００７６】
このように、動画分類システムＳでは、表示画面３の第１領域３１に、タグの付与対象である対象動画ファイルに基づく第１アニメーションを表示した状態で、第２領域３２に、予め記憶部２１に格納されている参照動画ファイルに基づく第２アニメーションを表示している。これにより、ユーザは、２つのアニメーションを直接対比して、それらが似ているか否か等を検討することができる。
【００７７】
また、第２領域３２に表示される第２アニメーションは、入力されたタグに基づいて決定されている。これにより、ユーザは、第１アニメーションに付与するタグを、付与されているタグの明らかな第２アニメーションを参照しながら検討することができる。具体的には、例えば、第２アニメーションに付与されたタグを、第１アニメーションに適用しても良いか否かを検討することができる。
【００７８】
次に、図１、図６及び図７を参照しつつ、ユーザが、第２段階で提示されたタグが第１アニメーションに適切ではないと判断した場合等に、対象動画ファイルに付与するタグをさらに検討する段階（第３段階）における処理を説明する。
【００７９】
第３段階における処理としては、まず、表示処理部２２は、ユーザが入力部１２を介して、第２領域３２に表示されている複数の第２アニメーションのうちから選択した第２アニメーションに対応する参照動画ファイルを認識する（図７／ＳＴＥＰ３１）。
【００８０】
具体的には、例えば、表示処理部２２は、第２領域３２に列挙された第２アニメーションから、ユーザがクリックして選択した第２アニメーション（図６においては、左列の上から２段目）を認識する。
【００８１】
次に、表示処理部２２は、認識した参照動画ファイルに付与されているタグを、記憶部２１から取得する（図７／ＳＴＥＰ３２）。
【００８２】
次に、表示処理部２２は、取得したタグを、第３領域に表示して、第３段階における処理を終了する（図７／ＳＴＥＰ３３）。
【００８３】
このような第３段階における処理を実行すると、選択された第２アニメーションに対応する参照動画ファイルに複数のタグが付与されていた場合には、ユーザは、その参照動画ファイル付与された他のタグを容易に認識することができる。これにより、ユーザは、連想するようにしてタグを検討することができる。
【００８４】
なお、当然のことながら、ＳＴＥＰ２１〜ＳＴＥＰ２３における処理、及び、ＳＴＥＰ３１〜ＳＴＥＰ３３における処理は、ユーザが適切と判断するタグを認識できるまで、繰り返し実行されてもよい。
【００８５】
そして、ユーザによって付与すべきタグが入力され（すなわち、タグ表示領域３４ａにタグが表示され）、且つ、第１領域に第１アニメーションが表示された状態で、ユーザによって決定ボタン３４ｃが選択されると、記憶部２１は、その第１アニメーションに対応する対象動画ファイルをそのタグとともに（すなわち、対象動画ファイルにタグを付与して）、格納する。これにより、動画分類システムＳを用いた対象動画ファイルに対するタグの付与が終了する。
【００８６】
以上説明したように、動画分類システムＳ及びそれにより実行される動画分類方法によれば、タグを付与する第１アニメーションを確認しながら、付与されているタグの明らかな第２アニメーションを参照することができる。これにより、ユーザは、容易に、第１アニメーション（ひいては、その第１アニメーションに対応する対象動画ファイル）に対して適切なタグを認識することができる。
【００８７】
また、動画分類システムＳ及びそれにより実行される動画分類方法では、第３領域３３を設け、タグの候補を提示するように構成している。その結果、動画分類システムＳでは、付与されるタグのばらつきが抑制されるので、使用されるタグの種類が収束しやすくなっている。これにより、タグの付与された動画ファイルの分類が、明確なものになっている。
【００８８】
以上、図示の実施形態について説明したが、本発明はこのような形態に限られるものではない。
【００８９】
例えば、上記実施形態においては、表示画面３に付与するタグの候補を表示する第３領域３３を設け、第１領域３１に表示されている第１アニメーションに対応する対象動画ファイルに付与すべきタグを提案する構成となっている。
【００９０】
しかし、本発明の動画分類システムはそのような構成に限定されるものではなく、第１領域に、第１アニメーションを表示するとともに、第２領域に、選択されたタグが付与されている参照動画ファイルに基づく第２アニメーションが表示されるものであればよい。そのため、第３領域を省略してもよい。
【符号の説明】
【００９１】
１…入出力部、２…処理部、３…表示画面、１１…表示部、１２…入力部、２１…記憶部、２２…表示処理部、２３…比較部、３１…第１領域、３２…第２領域、３３…第３領域、３４…入力領域、３４ａ…タグ表示領域、３４ｂ…検索ボタン、３４ｃ…決定ボタン、Ｓ…動画分類システム。
【図１】
2019036109.tif 000003
【図２】
2019036109.tif 000004
【図３】
2019036109.tif 000005
【図４】
2019036109.tif 000006
【図５】
2019036109.tif 000007
【図６】
2019036109.tif 000008
【図７】
2019036109.tif 000009